Podtech/llm-jp-corpus-v4-ja_patent huggingface dataset:
(57)【要約】【課題】  受具にセンサーを取り付けたドライヤー置を提供する【解決手段】受具にドライヤーを取り付ける穴を設け、受具下部にドライヤーを作動させるセンサーを設け、エアータオル機能を持った事を特徴とするドライヤー置。【選択図】図４
2006110286.tif 000002
【特許請求の範囲】
【請求項１】
受具にドライヤーを取り付ける穴を設け、受具下部にドライヤーを作動させるセンサー設け、エアータオル機能を持った事を特徴とするドライヤー置き。
【発明の詳細な説明】
【技術分野】
【０００１】  本発明は、受具にセンサーを取り付けたドライヤー置に関するものである。
【背景技術】
【０００２】  図５に示すようにセンサーなど用いないドライヤー置きはあった。
【発明の開示】
【発明が解決しようとする課題】
【０００３】  そのために、次のような問題点があった。
（イ）ドライヤーを置いたまま使う事が出来なかった。
（ロ）センサーを利用してドライヤーを作動させる物がなかった。
本発明は、これらの問題点を解決するためになされたものである。
【課題を解決するための手段】
【０００４】    受具にドライヤーを取り付ける穴を設け、受具下部にドライヤーを作動させるセンサーを設けエアータオルタオル機能持たせる。以上を特徴とするドライヤー置である。
【発明の効果】
【０００５】    ドライヤーを利用しエアータオルとしての働きをさせる事が出来る。
【発明を実施するための最良の形態】
【０００６】    以下、本発明の実施の形態について説明する。
（イ）受具（３）にドライヤー（１４）を差し込む穴（１）、及び、コンセント（７）を取り付ける穴（２）を設ける。
（ロ）受具（３）の下部に基板（Ａ）を取り付ける基板収納箱（４）を設け、センサー取付部（５）、（６）をそれぞれ設ける。
（ハ）プラグ（８）から得る電流をセンサー（１０）、（１１）の反応を利用し電流をコンセント（７）へ流すことができ、また、スイッチ（９）の切替によりセンサー（１０）、（１１）の反応と関係なく直接コンセント（７）へ電流を流すことの出来る基板（Ａ）を設ける。
（ニ）基板（Ａ）を基板収納箱（４）へ収納し、センサー（１０）をセンサー取付部（５）へセンサー（１１）をセンサー取付部（６）へ、コンセント（７）を穴（２）へそれぞれ取り付ける。それらを示すものが図３である。
（ホ）プラグ（８）を家庭用コンセント（１７）に差込むことで電源を供給する。
（ヘ）図４に示すようにセンサー取付部（５）、（６）を手（１６）で遮る事でコンセント（７）へ電源が流れる。また、スイッチ（９）の切り替えによりセンサー（５）、（６）に関係なくコンセント（７）へ電流が直接流れる仕組みになっている。
本発明は以上のような構成で、これを使用するときは、プラグ（８）を家庭のコンセント（１７）に差し込み電源を供給し、プラグ（１２）をコンセント（７）へ差し込む、図４に示すようにドライヤー（１４）のスイッチ（１５）を入れた状態でドライヤー（１４）を穴（１）へ差し込む。センサー取付部（５）、（６）を手（１６）で遮る事でセンサーが反応し、ドライヤーの口（１３）からエアーが出るので濡れた手をいちいちタオルで拭くこともいらずエアータオル機能として使うことが出来る。
また、スイッチ（９）を切り替える事によってエアータオルではなく、今まで通りのハンドドライヤーとして使うことが出来る。
【図面の簡単な説明】
【０００７】
【図１】本発明の分解斜視図
【図２】本発明のセンサー部の斜視図
【図３】本発明の全体斜視図
【図４】本発明の実施例を示す斜視図
【図５】従来のドライヤー置を示す斜視図
【符号の説明】
【０００８】１    穴
２    穴
３    受具
４    基板収納箱
５    センサー取付部
６    センサー取付部
７    コンセント
８    プラグ
９    スイッチ
１０  センサー
１１  センサー
１２  プラグ
１３  ドライヤーの口
１４  ドライヤー
１５  スイッチ
１６  手
１７  家庭用コンセント
１８  受具
Ａ    基板
【図１】
2006110286.tif 000003
【図２】
2006110286.tif 000004
【図３】
2006110286.tif 000005
【図４】
2006110286.tif 000006
【図５】
2006110286.tif 000007
(57)【要約】【課題】脚部を伸縮パイプとし、前輪軸を回転式とし、テイッピングレバー部分にモーターつきプッシュロッドを取り付けた段差解消車いすを提供する。【解決手段】脚部（フットレッグサポート）を伸縮パイプとし前輪（キヤスター）軸（２）を回転式とし、後部テイッピングレバー（３）の部分にモーターつきプッシュロッド（４）を取り付けた事を特徴とする。【選択図】図１
2006110282.tif 000002
【特許請求の範囲】
【請求項１】
脚部（フットレッグサポート）（１）を伸縮パイプとし、前輪（キヤスタ）（２）を回転式とし、後輪のフレームの後部ティッピングレバー（３）部分にモーターつきプッシュロッド（押棒）（４）を取り付けた段差解消用車イス
【発明の詳細な説明】
【技術分野】
【０００１】この発明は脚部を伸縮パイプとし、前輪を回転式とし、ティッピングレバー部分にモーターつきプッシュロッドを取り付けた段差解消車いすに関するものである。
【背景技術】
【０００２】従来、脚部、前輪、後輪等のフレームで構成された車いすであった。
【発明の開示】
【発明が解決しょうとする課題】
【０００３】これは次のような欠点があった。
イ）脚部、前輪、後輪等のフレームには溶接で固定されていた。
ロ）従って、地面（床面）に段差のあるところは、それに対応できなかった。
本発明は、これらの欠点を除くためになされたものである。
【課題を解決するための手段】
【０００４】脚部（フットレッグサポート）（１）を伸縮パイプとし
前輪（キヤスター）軸（２）を回転式とし
後部ティッピングレバー（３）の部分にモーターつきプッシュロッド（４）を取り付ける。
本発明は以上のような構成よりなる段差解消車いすである。
【発明の効果】
【０００５】本発明は以上のような構造で、車いすを直進させる過程で、脚部が伸縮し、前輪が回転し、後輪が上下して段差が解消される。
【発明を実施するための最良の形態】
【０００６】以下本案の実施の形態について説明する。
イ）脚部（フットレッグサポート）（１）を伸縮パイプとする。
ロ）前輪（キャスタ）（２）の支持部分を回転式とする。
ハ）後輪（５）フレーム端部ティッピングレバー（３）部分に、モーターつきプッシュロッド（４）を取り付ける。プッシュロッド（４）端部には支持プレート（６）を装着させる。
本案を使用して昇る時は、脚部（１）を所定の高さ迄電動で縮める。
所定の高さの所で脚部を少し伸ばして前輪（２）を浮かせる。
前輪（２）を電動で所定の高さ迄回転させる。後輪（５）を段差のある所迄前進させる。次にプッシュロッド（４）を所定の高さ迄上げる。
車いすを前進させるとティッピングレバー（３）とのジョイント部分がピン構造となっているため角度が変り後輪（５）も所定の高さに乗る。
プッシュロッド（４）を元の位置にもどす。
本案を使用して降りる時は、脚部（１）を所定の低さ迄電動で伸ばす。
後輪（５）を段差のある所迄前進させる。次に、前輪（２）が地面（床面）につくところ迄脚部を縮める。そして、車いすを前進させ乍う徐々に後輪（５）を低面部分に着地させていく。
【図面の簡単な説明】
【０００７】
【図１】本発明の斜視図である。
【符号の説明】
【０００８】１  脚部（フットレッグサポート）  ２  前輪軸  ３  テイッピングレバー
４  プッシュロッド  ５  後輪  ６  支持プレート
【図１】
2006110282.tif 000003
(57)【要約】【課題】レジャーシート等屋外で使用するシートは風等でめくれやすく、またピンで固定するにもピンの携帯や保管などが面倒であった。【解決手段】シートの四隅に折りたたみ式ピンを装備することにより簡単迅速に土面に固定することができる。またピンをシートと別々に取り扱う手間が省ける。保管及び運搬時は４小突起が５くぼみにはまることにより３ピンはコンパクトに２ピン固定具に収納・固定されるので邪魔にならない。【選択図】図２
2006110281.tif 000002
【特許請求の範囲】
【請求項１】
地面へ固定するための折りたたみ式のピンを隅に有する屋外用シート。
【発明の詳細な説明】
【技術分野】
【０００１】本発明は、レジャーシート等屋外で使用するシートが風等でめくれないように土に固定するための折りたたみ式のピンを装備するものである。
【発明の開示】
【発明が解決しようとする課題】
【０００２】従来から固定用のピンを有する屋外用シートはあったが、シートと別々に保管するなどして取り扱わなくてはならず不便であった。またピンは小さく無くしやすいものであった。
【課題を解決するための手段】
【０００３】本発明では、シートの隅に折りたたみ式のピンを設け、シートと一体化することでこの不便を解決した。
【発明の効果】
【０００４】ピンのため風等でシートがめくれるのを防ぐことができ、また固定用ピンを折りたたみ式としシートと一体化させることによりシートの地面への固定、収納、移動、保管の手間および時間を短縮することができる。
【発明を実施するための最良の形態】
【０００５】図３のようにシートの四隅に装備することで確実に固定することが出来る。
【図面の簡単な説明】
【０００６】
【図１】折りたたみ式ピン部分の平面図である。
【図２】折りたたみ式ピンを展開した斜視図である。
【図３】シートの全体図である。
【図１】
2006110281.tif 000003
【図２】
2006110281.tif 000004
【図３】
2006110281.tif 000005
(57)【要約】【課題】従来は病弱者の麻痺側上肢の外廻角に合わせて個々に製作し、改善される毎に再度製作していた。【解決手段】角度が調整できるヒンジとアームを介して長さが調整できる伸長器を設けその先に手を懸ける手掛けを設け、その先に手で握るグリップを設ける。【選択図】図７
2006110280.tif 000002
【特許請求の範囲】
【請求項１】
座位、長座位において病弱者の麻痺側上肢外廻角の軌跡に沿って装置を調整して段階的に可動域を広くして機能回復させる装置。
【発明の詳細な説明】
【発明の詳細な説明】
【技術分野】
【０００１】本発明は脳卒中等で片麻痺になった病弱者の麻痺側上肢の機能回復訓練装置に関する。
【背景技術】
【０００２】病弱者の麻痺側上肢の外廻角にあわせて個々に製作。
【発明が解決しようとする課題】
【０００３】従来の病弱者の麻痺側上肢の外廻角に合わせて個々に製作し、改善される毎に再度製作していた。
【課題を解決するための手段】
【０００４】〔図１〕正面図〔図２〕平面図に示す。角度が調整できるヒンジ▲１▼とアーム▲２▼を介して長さが調整できる伸長器▲３▼を設けその先に手を懸ける手懸け▲４▼を設けその先に手で握るグリップ▲５▼を設ける。
【発明を実施するための最良の形態】
【０００５】この発明の実施形態の一例を、本装置を病弱者が使用中の形態で〔図３〕〔図５〕に平面図、〔図４〕〔図６〕に側面図で示す。〔図３〕に病弱者の左上肢外廻角−４５度の時の平面図〔図４〕に、左外廻角−４５度の時の側面図、〔図５〕に病弱者の左上肢外廻角＋４５度の時の平面図〔図６〕に外廻角＋４５度の時の側面図を示す。
【実施例】
【０００６】実施例を〔図７〕斜視説明図を参照にして説明する。矢印▲７▼は病弱者の上肢麻痺側が段階的に改善する方向を示す。
【発明の効果】
【０００７】従来の病弱者の麻痺側の外廻角に合わせて個々に製作し、改善される毎に製作するのは限界があり、本発明において病弱者の外廻角の改善、背屈位の改善、肩関節の脱臼防止、亜脱臼の改善、及びストレッチの持続の効果がある。
【図面の簡単な説明】
【図１】  本装置の一例の平面図である。
【図２】  本装置の一例の正面図である。
【図３】  本装置の一例を病弱者が使用中の形態で外廻角−４５度の時の平面図である。
【図４】  本装置の一例を病弱者が使用中の形態で外廻角−４５度の時の正面図である。
【図５】  本装置の一例を病弱者が使用中の形態で外廻角＋４５度の時の平面図である。
【図６】  本装置の一例を病弱者が使用中の形態で外廻角＋４５度の時の正面図である。
【図７】  本装置の一例を病弱者が使用中の形態で外廻角の形態を外廻角が段階的に改善する方向を示す斜視図・説明図である。
【符号の説明】
▲１▼  ヒンジ
▲２▼  アーム
▲３▼  伸長器
▲４▼  手懸け
▲５▼  グリップ
【図１】
2006110280.tif 000003
【図２】
2006110280.tif 000004
【図３】
2006110280.tif 000005
【図４】
2006110280.tif 000006
【図５】
2006110280.tif 000007
【図６】
2006110280.tif 000008
【図７】
2006110280.tif 000009
(57)【要約】【課題】従来の腰当部では腰から背中に沿って均等に当たるようになっているので、長距離を走るトラックでは腰が痛んでも押圧出来なかったし腰部に適度な振動を与えることが無かった。  以上のような課題に鑑み本発明者は痛む部分に押し当てる姿勢保持具を提供することを目的とする。【解決手段】乗員の姿勢保持のために車両の前部座席の背もたれ前面に着脱自在に取付けられる姿勢保持具であって、乗員の腰部に沿うように湾曲させた腰当本体（３）に腰部を押圧する腰当スライド部（２）を設け，該腰当スライド部（２）を突出させるために腰当本体（３）の側面にハンドル（１）を設けた姿勢保持具である。【選択図】図２
2006110277.tif 000002
【特許請求の範囲】
【請求項１】
乗員の姿勢保持のために車両の前部座席の背もたれ前面に着脱自在に取付けられる姿勢保持具であって、乗員の腰部に沿うように湾曲させた腰当本体（３）に腰部を押圧する腰当スライド部（２）を設け，該腰当スライド部（２）を突出させるために腰当本体（３）の側面にハンドル（１）を設けた姿勢保持具。
【請求項２】
前記ハンドル（１）をスライドギヤーシャフト（６）で連結し、前記スライドギヤーシャフト（６）一端を軸支し、スライドギヤーシャフト（６）にスライドギヤー（５）を設け、ハンドル（１）を回転させることによってスライドギヤーシャフト（６）に係合させたスライドレール（７）が移動し、スライドレールの一端に係合させた腰当スライド部（２）が突出する構造とした請求項１記載の姿勢保持具。
【請求項３】
腰当スライド部（２）には振動手段が設けられている請求項１及び２記載の姿勢保持具。
【発明の詳細な説明】
【技術分野】
【０００１】  本発明は車両に使用される座席前部に装着する姿勢保持具に関する。
【背景技術】
【０００２】  従来、この種のランバーサポートには、例えば、図５に示す実開平１−９７７５４号にて公開されたものが知られている。一般に自動車のシート１は、搭乗者の横方向の安定性を確保すべく、シートバック１１の両サイドに側面サポート１３ａ，１３ｂを備え、その間の凹所１３ｃ内に搭乗者の体を収めるようになっている。従来の腰当部１２は、両側面サポート１３ａ，１３ｂ間に丁度収まるように設けられ、搭乗者の腰部を支持するようになっているとともに、また、個人の体型の違いに対応できるように、エアーポンプ１４にてその盛り上がり度を調整できるようになっている。【０００３】
【特許文献】  実開平０１−９７７５４号公報
【発明の開示】
【発明が解決しようとする課題】
【０００４】上述した従来の腰当部１２はエアーの供給によって膨らむと前方へ迫り出しが増す。これにより、腰当部１２の前面と側面サポート１３ａ，１３ｂとの段差が次第に少なくなってくる。
すると、搭乗者の体は、側面サポート１３ａ，１３ｂによる横方向の支持が受け難くなり、横ズレに対して安定しにくくなる。【０００５】    更に従来の腰当部では腰から背中に沿って均等に当たるようになっているので、長距離を走るトラックでは腰が痛んでも押圧出来なかったし腰部に適度な振動を与えることが無かった。【０００６】  以上のような課題に鑑み本発明者は痛む部分に押し当てる姿勢保持具を提供することを目的とする。
【課題を解決するための手段】
【０００７】  本発明は前記課題を解決するために、乗員の姿勢保持のために車両の前部座席の背もたれ前面に着脱自在に取付けられる姿勢保持具であって、乗員の腰部に沿うように湾曲させた腰当本体（３）に腰部を押圧する腰当スライド部（２）を設け，該腰当スライド部（２）を突出させるために腰当本体（３）の側面にハンドル（１）を設けた姿勢保持具である。【０００８】  更に、ハンドル（１）をスライドギヤーシャフト（６）で連結し、前記スライドギヤーシャフト（６）一端を軸支し、スライドギヤーシャフト（６）にスライドギヤー（５）を設け、ハンドル（１）を回転させることによってスライドギヤーシャフト（６）に係合させたスライドレール（７）が移動し、スライドレールの一端に係合させた腰当スライド部（２）が突出する構造とした姿勢保持具である。【０００９】  また、腰当スライド部（２）には振動手段が設けられている姿勢保持具である。
【発明の効果】
【００１０】  従来の腰当部では腰から背中に沿って均等に当たるようになっているので、長距離を走るトラックでは腰が痛んでも押圧出来なかったし腰部に適度な振動を与えることが出来て快適な運転ができる。
【発明を実施するための最良な形態】
【００１１】  乗員の姿勢保持のために車両の前部座席の背もたれ前面に着脱自在に取付けられる姿勢保持具であって、乗員の腰部に沿うように湾曲させた腰当本体（３）に腰部を押圧する腰当スライド部（２）を設け，該腰当スライド部（２）を突出させるために腰当本体（３）の側面にハンドル（１）を左右に廻すことで腰当スライド部（２）の突出量が自在に調整できて乗員の要望によって設定できる構造にした姿勢保持具である。
姿勢保持具である腰当本体（３）のシート（１０）への固定は腰当本体（３）の左右に取付けた固定用バンド（４）で固定する。
【００１２】  姿勢保持具の腰当スライド（２）突出させるために、ハンドル（１）をスライドギヤーシャフト（６）で連結し、前記スライドギヤーシャフト（６）一端を軸支し、スライドギヤーシャフト（６）にスライドギヤー（５）を設け、ハンドル（１）を回転させることによってスライドギヤーシャフト（６）に係合させたスライドレール（７）がスライドレール受（８）上を移動し、スライドレールの一端に係合させた腰当スライド部（２）が突出する構造とした姿勢保持具である。
【００１３】  また、腰当スライド部（２）には電動のバイブレータが内臓してあって振動の強弱は通常の振動手段が設けられている姿勢保持具である。
【産業上の利用可能性】
【００１４】    特に長距離を走るトラックの座席に設けると腰痛を緩和でき快適な走行ができ安全運転につながる。
【図面の簡単な説明】
【００１５】
【図１】姿勢保持具の全体を示す図である。
【図２】姿勢保持具の腰当スライド部が突出した状態を示す図である
【図３】姿勢保持具の腰当スライド部を突出させる構造を解説する図である
【図４】姿勢保持具の腰当スライド部を突出させる構造を解説する図である
【図５】従来の姿勢保持具を説明する図である。
【符号の説明】
【００１６】    １    ハンドル
２    腰当スライド部
３    腰当本体
４    固定バンド
５    スライドギヤー
６    スライドギヤーシャフト
７    スライドレール
８    スライドレール受
９    座席背もたれ
１０    シート
１１    シートバック
１２    腰当部
１３ａ  側面サポート
１３ｂ  側面サポート
１３ｃ  凹部
１４    エアーポンプ
【図１】
2006110277.tif 000003
【図２】
2006110277.tif 000004
【図３】
2006110277.tif 000005
【図４】
2006110277.tif 000006
【図５】
2006110277.tif 000007
(57)【要約】      （修正有）【課題】  マスク内部に呼気通風抵抗用シート又は弁付き穴あきシートをつけた腹式呼吸誘発健康（ダイエット）マスクを提供する。【解決手段】  マスク内部に呼気の通過防止用非通気性素材でなる通気抵抗シートを装着し、このシートにつき呼気排出量を少なく制限するため、穴の大きさ数量を少なく設計するか、このシートの中に弁部又は、弁代用の舌状片を設けた通気孔を有し、必要であれば更に通気抵抗シート外側に硬質網状シート又は、多孔質シート外側に硬質網状シート又は、多孔質シートを併設することを特徴とするダイエット腹式呼吸健康マスク。【選択図】図４
2006110273.tif 000002
【特許請求の範囲】
【請求項１】
マスク内部に呼気の通過防止用の非通気性素材でなる通気抵抗シートを装着したことを特徴とするダイエット腹式呼吸健康マスク。
【請求項２】
マスク内部に呼気の通過防止用の非通気性素材でなる通気抵抗シートを装着し、且つこのシートの中に弁部又は弁代用の舌状片を設けた通気孔を有することを特徴とするダイエット腹式呼吸健康マスク。
【請求項３】
マスク内部に呼気の通過防止用の非通気性素材でなる通気抵抗シートを装着し、且つこのシートの中に弁部又は弁代用の舌状片を設けた通気孔を有し、更にこのシートの外側に硬質の網状シート又は多孔質シートを併設することを特徴とするダイエット腹式呼吸健康マスク。
【請求項４】
マスク本体内に全く通気性の無いシート（又はフィルム）或いは呼気の通風を妨げるため、通気孔の数或いは孔の大きさを設計制限し少なく設けた軟質シート（又はフィルム）又は布・ガーゼを内蔵することを特徴とするダイエット腹式呼吸マスク。
【請求項５】
マスク本体内に殆ど通気性の無いシート（又はフィルム）を内蔵せしめることを特徴とするダイエット腹式呼吸マスク。
【発明の詳細な説明】
【技術分野】
【０００１】（１）本発明は顔面用のマスクに関し呼気（吐く息）の通過を妨げ、吸気は正常に呼吸できるようマスク内に通気性が皆無、又は通気性の少ないベン弁又はベン代用の舌状片を設けた通気孔を有するシートを内蔵する腹式呼吸圧強化ダイエット（もしくはカラオケダイエット）健康用具に関するものである。
（２）又別案として、呼気を通さず吸気を通気するための弁等を設けず、通気性が全くないか、或いは通気性の少ないシートを内蔵する構造の物をも含む。
（３）又マスク本体に内蔵する呼気通風を妨げるためのシート又は布やガーゼに一部又は全面（全体）に磁製を帯びさせるか、フェライト磁石等のシートを用い、このシート内側（口唇側）にもシートの通気穴、通気をコントロールする部品としてフェライト磁石片等の磁性を有する弁代用片を接着するのも良い。又前者、後者の何れかを鉄素材等と同じ物性の磁石に吸引される物性の素材にするもよい。
【背景技術】
【０００２】  従来、マスクは風邪・咳等の呼吸気疾患や花粉症等の症状緩和用が空気汚染等の衛生上に専ら使用され、呼吸によるダイエット法としては単なる腹式呼吸を行うかカラオケで唄ってある程度のダイエット効果が認められてはいるものの、腹式呼吸を故意に行うことは困難で、一般の者には容易に実行不可能事でカラオケで普通に唄ってダイエットするには長時間の実施以外は効果が出ないのが現実である。
【発明の開示】
【発明が解決しようとする課題】
【０００３】  ０００２でも記述の通り、腹式呼吸を実施するには個人差もあり実施不可能や不充分な人達も多く、楽しさも無くカラオケ等で唄ってダイエットするには腹式呼吸圧も弱く効果が弱い。本発明はこれらの欠点を除き簡単にマスクをかけるだけで強い腹式呼吸用具であり、どんな歌でもよしから簡易に唄ってダイエットできる楽しい簡単な用具を提供するものである。
【課題を解決するための手段】
【０００４】  顔面又は口にあたる内側の布やガーゼ等と外側の布やガーゼと口の間に呼吸の非通気性素材でなる（なるべく軟質合成樹脂製等の）通気抵抗シートを装着し、このシートに主として吸気（吸息）を正常に通過せしめるべく弁部又は弁代用の舌状片を設けた通気孔を有し、この呼吸調整用シートの機能を安定なら染むため場合によっては、このシートの外側に硬質の網状シート又は多孔質シートを併設するのもよい。以上の構造を特徴とするダイエット腹式呼吸マスクである。
【発明の効果】
【０００５】  通常、本来マスクは鼻をさけ口・口周辺部に位置するよう装着し、強めの呼吸を行うが、なるべく強めの発声法で唄うことにより容易に強めの腹式呼吸を確実に実施することが可能となり、余分な運動をしなくてもエネルギーをも消費でき、脂肪を燃焼させダイエット効果を与える。
【発明を実施するための最良の形態】
【０００６】  以下、本発明実施の形態について説明する。
（イ）口唇部にあたるマスク内側の布（又はガーゼ）１．の外側に併設する通常軟質シート２．を設ける。
（ロ）シート２に１ヶ所及び至多数の穴５ａ．を設け５ａの穴に弁（ベン）又は弁代用舌状片５ｂ．を設ける。
（ハ）シート２の機能を補強するため場合により硬質３．の補強用多孔性シート又は樹脂製等の網を接近し設ける。
（ニ）通常、最も外側にマスク外部布（又はガーゼ）４．を設ける。
（ホ）耳にかけるか頭部に廻しマスクを保持するホルダー用紐又はベルト６．を接続し設ける。
本発明は以上のような構造でこれを使用するときは、紐又はホルダーベルト６を持ち両耳に掛けるか、ホルダーベルト６で後頭部に廻しかけて装着後、呼気（吐息）を強めに吐いて反復するか、強めの発声で唄ったり、話したり、本を読んだりすると、自動的に呼気（吐息）における通気がシート２で妨げられ、自然に強い腹式呼吸が行われ腹筋に力が入り健康ダイエットに連なるのである。
【図面の簡単な説明】
【０００７】
【図１】本発明の断面図
【図２】マスク内側布に隣接する軟質シートの吸気時の実施例を示す断面図
【図３】マスク内側部に隣接する軟質シートの呼気時の実施例を示す断面図
【図４】（イ）本発明装着時の略図  （ロ）本発明実施例で呼気時の状態を示す略図
【符号の説明】
【０００８】１．  口唇部に触れるマスク内側部の布部。
２．  １の布部に隣接する軟質シート。
３．  ２のシートを保持する軟質の網又は多孔質板
４．  マスク外側の布部
５ａ．２のシート中の通気孔部
５ｂ．５ａ孔の内側（口唇側）に接着する弁（ベン）代用片。
５．  マスクを装着固定する紐又はホルダーベルト。
【図１】
2006110273.tif 000003
【図２】
2006110273.tif 000004
【図３】
2006110273.tif 000005
【図４】
2006110273.tif 000006
(57)【要約】【課題】問題点は、足裏体型には個人差があり、偏平足の人と甲高の人では足裏土踏まず部分の高さに随分の個人差があるので、従来の技術で前記の個人差に対応するためには数種類の土踏まず突起高の健康サンダルを用意しなければならない。【解決手段】甲板２の上面に多数の足裏押圧用突起を設けた健康サンダルにおいて、甲板土踏まず部分１０の位置にソール部１略中央の内側側面から甲板２上面に略平行に略半円形状のポケット部６を設け、前記のポケット部６と略相似であり略半円形で周辺部が薄く中心部が肉厚の挿入片７を使用者の足裏体型に合わせて概レベル１乃至レベル５の種類を用意し、使用者が自分の足裏土踏まず部分９の体型に合わせて選んで、前記挿入片７を当該ポケット部６に挿入して使用することにより、甲板２の上面に設けた甲板土踏まず部分１０の突起が足裏土踏まず部分９の高さにフィットして、足裏ツボ押圧効果を発揮することができることを特徴とする健康サンダルによって解決する。【選択図】図２
2006110271.tif 000002
【特許請求の範囲】
【請求項１】
甲板の上面に多数の足裏押圧用突起を設けたウレタン等ゴム製またはプラスチック製健康サンダル（以下「健康サンダル」という）において、甲板土踏まず部分の位置にソール部略中央の内側側面から甲板上面に略平行に略半円形状のポケット部を設け、前記のポケット部と略相似であり略半円形で周辺部が薄く中心部が肉厚の挿入片を、使用者の足裏体型に合わせて概レベル１乃至レベル５の種類を用意し、使用者が自分の足裏土踏まず部分の体型に合わせて選んで前記挿入片を当該ポケット部に挿入して使用することにより、甲板の上面に設けた甲板土踏まず部分の突起が盛り上がって足裏土踏まず部分の高さにフィットして、足裏ツボ押圧効果を発揮することができることを特徴とする健康サンダル。
【発明の詳細な説明】
【技術分野】
【０００１】  本発明は、健康サンダルの土踏まずの位置に設けた足裏押圧用突起が個人の土踏まず体型に合わせてフィットさせる技術に関するものである。
【背景技術】
【０００２】  足裏には多数のつぼや反射帯が存在するのであるが、この足裏のつぼや反射帯を押圧刺激して血行の流れをスムーズにすることにより健康を促進する各種サンダルが公知である。【０００３】  土踏まず部分には腎臓、膵臓、横行結腸、十二指腸、小腸、肝臓、胆嚢、副腎等の主要内臓のつぼが集中しているのであるが、個人個人の土踏まず部分の高さには個人差があるので従来の技術では個人個人の土踏まず部分に対して適正なツボ刺激ができない場合がある。
【発明の開示】
【発明が解決しようとする課題】
【０００４】  解決しようとしている問題点は、足裏体型には個人差があり、偏平足の人と甲高の人では土踏まず部分の高さに随分の個人差があるので、従来の技術で前記の個人差に対応するためには数種類の土踏まず突起高の健康サンダルを用意しなければならない。
【課題を解決するための手段】
【０００５】  甲板の上面に多数の足裏押圧用突起を設けた健康サンダルにおいて、甲板土踏まず部分の位置にソール部略中央の内側側面から甲板上面に略平行に略半円形状のポケット部を設け、前記のポケット部と略相似であり略半円形で周辺部が薄く中心部が肉厚の挿入片を、使用者の足裏体型に合わせて概レベル１乃至レベル５の種類を用意し、使用者が自分の足裏土踏まず部分の体型に合わせて選んで前記挿入片を当該ポケット部に挿入して使用することにより、甲板の上面に設けた甲板土踏まず部分の突起が盛り上がって足裏土踏まず部分の高さにフィットして、足裏ツボ押圧効果を発揮することができることを特徴とする健康サンダルによって解決する。
【発明の効果】
【０００６】  甲高の人が本発明を使用する場合には、自分に合った前記の挿入片を合わせて選んでポケット部に挿入して使用することで、本発明の土踏まず部分が盛り上がることになり、足の土踏まずのツボを適当に押圧刺激することができる。
【発明を実施するための最良の形態】
【０００７】  本発明甲板に設けた足裏押圧用突起の形状及び高さは、偏平足の人を基準にして形成し、甲高の人に対しては前記挿入片の厚みが異なる数種類のレベルを用意して、使用者に合った挿入片を選んでポケット部に挿入して使用することで対応する。
【実施例１】
【０００８】  図１乃至図４は、本発明の１実施例であって、図１は本発明の１部縦断側面図でサンダルバンド３を透明に表現した説明図、図２は足裏土踏まず部分９の高さに合わせて選んで挿入片７をポケット部６に挿入した縦断側面図による前記同様の説明図、図３は本発明の平面図で特にポケット部６の形状の１例を示した説明図、図４は挿入片７の説明図である。【０００９】  図示のように、本発明はソール部１の上部に一体に接着剤等により固定された甲板２の上面は、足裏押圧用の多数の大突起４と多数の小突起５（以下「突起」という）とで形成し、サンダルバンド３を設け、ソール部１略中央の土踏まず部分の位置に内側側面から甲板上面に略平行にポケット部６を設ける。【００１０】  図１に示すように、足８が甲高で足裏土踏まず部分９に甲板２の甲板土踏まず部分１０突起が適正に届かない場合には、図２に示すようにポケット部６へ適正な肉厚レベルの挿入片７を挿入することで、甲板２の甲板土踏まず部分１０が盛り上がるので、突起が足裏土踏まず部分９を適正に押圧刺激することになる。【００１１】  図３に示すように、略半円形状のポケット部６は本発明甲板２の略中央の位置に足裏土踏まず部分９が当たる箇所に設け、本発明甲板土踏まず部分１０の突起は大突起４を主に形成される。【００１２】  図４に示すように、挿入片７はポケット部６の形状に合わせた略相似であり略半円形状で、Ａ−Ａ断面図に示すように半円中心部が盛り上がった形状で、Ｂ−Ｂ断面図に示すように半円中心部の厚みが厚く半円のへりは薄く形成する。【００１３】  各種の足裏土踏まず部分９の体型に合わせて挿入片７の半円中心部分の肉厚が異なる概レベル１乃至レベル５を用意し、使用者が足裏体型に合わせて挿入片７を選択して使用する。
【図面の簡単な説明】
【００１４】
【図１】本発明の１部縦断側面図でサンダルバンド３を透明にした説明図
【図２】挿入片をポケット部に挿入した縦断側面図で図１同様説明図
【図３】本発明の平面図で特にポケット部の形状を示した説明図
【図４】挿入片の斜視図、平面図、断面図による説明図
【符号の説明】
【００１５】  １    ソール部
２    甲板
３    サンダルバンド
４    大突起
５    小突起
６    ポケット部
７    挿入片
８    足
９    足裏足土踏まず部分
１０    甲板土踏まず部分
【図１】
2006110271.tif 000003
【図２】
2006110271.tif 000004
【図３】
2006110271.tif 000005
【図４】
2006110271.tif 000006
(57)【要約】【課題】  座椅子に座ったまま、簡単に前後に揺らせるようにした、ロッキング座椅子を提供する。【解決手段】  座椅子の下部に、湾曲フレーム３を設けたロッキング座椅子を特徴とする。【選択図】  図１
2006110276.tif 000002
【特許請求の範囲】
【請求項１】
座椅子の下部に、湾曲したフレームを設けたことを特徴とするロッキング座椅子。
【請求項２】
座椅子の下部に設けた湾曲したフレームの前部に、スプリングの機能を持たせたことを特徴とするロッキング座椅子。
【請求項３】
座椅子の一部に、前後のバランスをとりやすくするための、スライドするバランスウエイトを設けたことを特徴とするロッキング座椅子。
【発明の詳細な説明】
【技術分野】
【０００１】  本発明は、座椅子の下部に湾曲したフレームを設け、そのフレームの前部にスプリングの機能を持たせ、さらに座椅子を支えるフレームに、前後にスライドするバランスウエイトを設けたロッキング座椅子に関するものである。
【背景技術】
【０００２】  従来、座椅子には簡単に前後に揺らす為の機能が付いていない。
【発明の開示】
【発明が解決しようとする課題】
【０００３】  簡単に前後に揺らす為の機能が付いていない座椅子は、使用者が座り前後に揺らすのは難しい。本発明は、このようなことを解決することを課題とする。
【課題を解決するための手段】
【０００４】  この課題を解決するための請求項１の発明は、座椅子の下部に湾曲したフレームを設けて前後に揺らせるようにしたことを特徴とする、ロッキング座椅子である。平らな床にこのロッキング座椅子を置いて座り、静かに前後に揺らせば気持ちを安らげることができる。【０００５】  また、請求項２の発明は、座椅子とその下部に設けた湾曲したフレームの接続部を前部だけにすることにより、使用者の体重が座椅子に掛かるとその部分にねじりが生じて、結果としてスプリングの機能を持たせたことを特徴とする、ロッキング座椅子である。このスプリングの機能を持たせたことにより座り心地を良くすることができる。【０００６】  さらに、請求項３の発明は、座椅子を支える両サイドのフレームの中に前後のバランスをとりやすくするための、スライドするバランスウエイトを設けたことを特徴とする、ロッキング座椅子である。このスライドするバランスウエイトにより使用者は、自分の好みに合ったバランスでロッキング座椅子に座ることができる。
【発明の効果】
【０００７】  本発明により、ロッキング座椅子は座ったまま揺らすことができ、スプリング機能により座り心地も良く、バランスウエイトを調整して使用者は好みのバランスで座ることができる。
【発明を実施するための最良の形態】
【０００８】  図１は、ロッキング座椅子の背もたれを立てた状態で使用者が座ったところの側面図である。同図に示すようにロッキング座椅子の使用者は上半身を、軽くスイングすればロッキング座椅子を前後に揺らすことができる。【０００９】  図２は、ロッキング座椅子の背もたれを倒した状態で使用者が横になったところの側面図である。同図に示すようにロッキング座椅子の使用者は、膝から下を上下させて少しの反動をつけることによりロッキング座椅子を揺らすことができる。【００１０】  図３は、座椅子の下部に湾曲したフレームを設けたことを特徴とする、ロッキング座椅子の正面図である。図４は、ロッキング座椅子の背面図である。図５は側面図、図６は上面図である。前各図に示すように、ロッキング座椅子は人が座れば容易に前後に揺らすことができる形状をしている。
【産業上の利用可能性】
【００１１】  本発明に係るロッキング座椅子は、工業的に量産する事が可能であるため、産業上の利用可能性を有する。
【図面の簡単な説明】
【００１２】
【図１】  ロッキング座椅子の、背もたれを立てた状態で使用者が座ったところの側面図である。
【図２】  ロッキング座椅子の、背もたれを倒した状態で使用者が横になったところの側面図である。
【図３】  座椅子の下部に、湾曲したフレームを設けたロッキング座椅子の正面図である。
【図４】  座椅子の下部に、湾曲したフレームを設けたロッキング座椅子の背面図である。
【図５】  座椅子の下部に、湾曲したフレームを設けたロッキング座椅子の側面図である。
【図６】  座椅子の下部に、湾曲したフレームを設けたロッキング座椅子の上面図である。
【符号の説明】
【００１３】  １    背もたれ
２    座面
３    湾曲フレーム
４    スプリング部分
５    背もたれ角度調整レバー
６    バランスウエイト位置調整つまみ
７    バランスウエイト
８    座面内フレーム
９    使用者
１０    床
【図１】
2006110276.tif 000003
【図２】
2006110276.tif 000004
【図３】
2006110276.tif 000005
【図４】
2006110276.tif 000006
【図５】
2006110276.tif 000007
【図６】
2006110276.tif 000008
(57)【要約】【課題】従来のヒンジではアームを固定することが困難で角度を調整してもアームが振れ握力のないまたは弱い麻痺側の手がグリップから落ちることがある。またピン等のロック機構を設けた場合装置が大きくなり病弱者への接触による危険がある。また脱着に時間がかかることと、定めた位置での角度が設定できない。【解決手段】ヒンジに複数の鋼板で構成された  式多板ブレーキを組み合わせることにより、摩擦面積を増やしブレーキレバーでヒンジに設けているネジを締め付ける。ブレーキレバーはアーム線上が締め付け位置になるようヒンジの上のセレーションとの噛み合わせで調整する。【選択図】図３
2006110279.tif 000002
【特許請求の範囲】
【請求項１】
麻痺側上肢外廻角及び背屈位改善訓練装置におけるアームの振れを、ヒンジに複数枚の鋼板等を用いたブレーキと締め付けハンドルを用いて防止する器械。
【発明の詳細な説明】
【発明の詳細な説明】
【技術分野】
【０００１】脳卒中等で片麻痺になった病弱者の麻痺側上肢の機能回復訓練装置に関する。
【背景技術】
【０００２】従来のヒンジでは完全に固定することが困難で角度を調整してもアームが振れる。
【発明が解決しようとする課題】
【０００３】従来のヒンジではアームを完全に固定することが困難で角度を調整してもアームが振れ、握力のない又は弱い麻痺側の手がグリップから落ちることがある。またピン等のロック機構を設けた場合装置が大きくなり病弱者への接触による危険があり、また脱着に時間がかかる。また定めた位置でしか設定できない。
【課題を解決するための手段】
【０００４】〔図１〕正面図〔図２〕平面図に従来の技術を示す。ヒンジ▲１▼アーム▲２▼伸長器▲３▼手懸け▲４▼グリップ▲５▼伸長器ロックボルト▲６▼角度ロックピン▲７▼〔図３〕正面図〔図４］平面図に本発明を示す。ネジ付ヒンジ▲１２▼アーム▲２▼伸長器▲３▼手懸け▲４▼グリップ▲５▼伸長器ロックボルト▲６▼乾式多板ブレーキ▲９▼セレーション▲１０▼ブレーキレバー▲１１▼を設ける。ネジ付ヒンジ▲１２▼に複数の鋼板等により構成された乾式多板ブレーキ▲９▼を組み合わせることにより摩擦面積を増やし、ブレーキレバー▲１１▼でネジ付ヒンジ▲１２▼に設けているネジを締め付ける。ブレーキレバー▲１１▼は病弱者に接触しないようにアーム▲２▼線上が締め付け位置になるようネジ付ヒンジ▲１２▼上のセレーション▲１０▼との噛み合わせで調整する。
【発明を実施するための最良の形態】
【０００５】この発明の実施形態を乾式多板ブレーキ▲９▼ブレーキレバー▲１１▼セレーション▲１０▼ネジ付ヒンジ▲１２▼に関して〔図５〕断面説明図〔図６〕断面説明図図で示す。
〔図５〕にブレーキレバー▲１１▼を離してバネの力でセレーション▲１０▼が噛み合いロックした形態を示し、このセレーション▲１１▼が噛み合った形態でブレーキレバーを回しロックの度合いを決める。
〔図６〕にブレーキレバー▲１１▼を引き上げセレーションの噛み合いがはずれロックが解除された形態を示す。このフリーになった形態でブレーキレバーを任意の位置に回す。
【実施例】
【０００６】この発明の実施例を〔図７〕〔図９〕〔図１１〕平面図〔図８〕〔図１０〕〔図１２〕正面図に本装置を病弱者が使用中の実施例を説明する。〔図８〕に左上肢外廻角−４５度〔図１０〕に左上肢外廻角＋１０度〔図１１〕に左上肢外廻角＋４５度の時を示す。
【発明の効果】
【０００７】従来のヒンジではアームを完全に固定することが困難で角度を調整してもアームが振れ、握力のないまたは弱い麻痺側の手がグリップから落ちることがある。またピン等のロック機構を設けた場合装置が大きくなり病弱者への接触による危険があり脱着に時間がかかっていたこと及び定めた位置でしか設定できなかった事を解決できる。
【図面の簡単な説明】
【図１】  従来の技術の正面図。
【図２】  従来の技術の平面図。
【図３】  本発明の正面図。
【図４】  本発明の平面図。
【図５】  本発明のヒンジ部断面詳細図（ブレーキレバーを上げた図）。
【図６】  本発明のヒンジ部断面詳細図（ブレーキレバーを下げた図）。
【図７】  病弱者の左上肢外廻角−４５度の時の平面図。
【図８】  病弱者の左上肢外廻角−４５度の時の正面図。
【図９】  病弱者の左上肢外廻角−１０度の時の平面図。
【図１０】  病弱者の左上肢外廻角−１０度の時の正面図。
【図１１】  病弱者の左上肢外廻角＋４５度の時の平面図。
【図１２】  病弱者の左上肢外廻角＋４５度の時の正面図。
【符号の説明】
▲１▼  ヒンジ
▲２▼  アーム
▲３▼  伸長器
▲４▼  手懸け
▲５▼  グリップ
▲６▼  伸長器ロックボルト
▲７▼  角度ロックピン
▲８▼  角度ロック穴
▲９▼  乾式多板ブレーキ
▲１０▼  セレーション
▲１１▼  ブレーキレバー
▲１２▼  ネジ付ヒンジ
【図１】
2006110279.tif 000003
【図２】
2006110279.tif 000004
【図３】
2006110279.tif 000005
【図４】
2006110279.tif 000006
【図５】
2006110279.tif 000007
【図６】
2006110279.tif 000008
【図７】
2006110279.tif 000009
【図８】
2006110279.tif 000010
【図９】
2006110279.tif 000011
【図１０】
2006110279.tif 000012
【図１１】
2006110279.tif 000013
【図１２】
2006110279.tif 000014
(57)【要約】      （修正有）【課題】  荷物の重心を身体側に移動させ、肩に掛る重量負担を、分散させるリュックサックを提供する。【解決手段】  袋本体１と背負いベルト２は、背面側および外面側の二枚を一体化して裁断し、縫合する。紐とうし５と口紐６をもった荷物の出し入れ口４は左右の背負いベルト２に接することを特長とする。【選択図】  図１
2006110272.tif 000002
【特許請求の範囲】
【請求項１】
リュックサックの袋本体と左右の背負いベルトを一体化して裁断、縫製する。
【請求項２】
荷物の出し入れ口は、下括弧状の曲線に形成し、出し入れ口の両端はそれぞれ左右の背負いベルトに接し、口周りに開閉のための紐を通す。
以上のごとく構成されたリュックサック。
【発明の詳細な説明】
【技術分野】
【０００１】  この発明は、リュックサックの袋本体と左右の背負いベルトを、一体化して裁断、縫製されたリュックサックに関するものである。
【背景技術】
【０００２】  従来、リュックサックは袋本体と両肩に掛ける背負いベルトは、別々に裁断、縫製されていた。
【発明の開示】
【発明が解決しようとする課題】
【０００３】  これは次のような問題点があった。
袋本体に取り付けた左右の背負いベルトの取り付け個所が、袋背面側に在るため、リュックサックに詰めた荷物の重量の多少に拘わらず、リュックサック全体の重心が後ろに傾き、使用者の肩に不要の負担を与えていた。
本発明は、以上のような欠点をなくすためになされたものである
【課題を解決するための手段】
【０００４】  袋本体と背負いベルトを一体化して材料を裁断し、背面側と外面側の二枚を縫合する。荷物の出し入れ口は、下括弧状の曲線に形成し、出し入れ口の両端は左右の背負いベルトに接し、口周りに開閉のための紐を通す。
以上の構成よりなる、袋本体と背負いベルトが一体化したリュックサックである。
【発明の効果】
【０００５】  袋本体と背負いベルトが袋の上端で一体化しているので、荷物を入れて背負ったとき、肩にかかる負担がひろく分散される。そのため肩にやさしく、使用者の疲労感が軽減される。荷物の出し入れ口が、下括弧状の曲線に形成しているので、歩行していても背の曲線になじみやすい。そのため、高齢者や身体虚弱者等が使用することにより、肩を中心とした肉体的苦痛を軽減し、またリュックサックの重心が従来のものより身体側にあるので、危険に対するとっさの動きに順応しやすく、安全面でも有利である。
【発明を実施するための最良の形態】
【０００６】    以下、本発明の実施例について説明する。
（ィ）袋本体（１）と左右背負いベルト（２）は一体化して背面および外面側の二枚を裁断する。
（ロ）荷物の出し入れ口（４）を除いて、裁断した背面及び外面側を縫合する。
（ハ）左右の背負いベルト（２）の付け根までの間が、荷物の出し入れ口（４）になるので、口を広げたり、絞ったりできるように、出し入れ口の周りに紐通し（５）を作り、口紐（６）をとおす。
本発明は、以上のような構造で、これを使用するとき、出し入れ口の口紐（６）を絞ることにより必然的に、左右のベルトは内側に寄り、両ベルト間は狭まり、背負ったとき、肩からベルトがずり落ちない。荷物の出し入れ口（４）は下括弧状の曲線になっているので、首から背中へのあたりがやさしい。口紐（６）を絞ると下括弧は小さくなるが、身体にあたえる影響はかわらない。
【図面の簡単な説明】
【０００７】
【図１】  本発明の口紐を絞る前の斜視図である。
【図２】  本発明の口紐を絞った後の斜視図である。
【符号の説明】
【０００８】    １    袋本体
２    背負いベルト
３    補助ベルト
４    荷物の出し入れ口
５    紐通し
６    口紐
７    底
８    長さ調整具
【図１】
2006110272.tif 000003
【図２】
2006110272.tif 000004
(57)【要約】      （修正有）【課題】任意の身体腰部位吊下物がベルトループを超えて移動することを可能にする身体腰部位吊下物の支持材を提供する。【解決手段】身体腰部位吊下物の吊下部を通して支持するための帯状支持部材４の両端にベルトを通すための吊下輪部材１を設け、帯状支持部材４がベルトループの外側をまたぐようにその両端の吊下輪部材１にベルトを通すことで、上記帯状支持部材４に吊下げられた吊下物７がベルトループを越えて移動することが可能になる。【選択図】  図１
2006110269.tif 000002
【特許請求の範囲】
【請求項１】
任意の身体腰部位吊下物（７）の吊下部を通して支持するための帯状支持部材（４）の両端に任意のベルト（６）を通すための吊下輪部材（１）を設けたことを特徴とする、身体腰部位吊下物の支持材。
【請求項２】
帯状支持部材（４）において、その内部または側部に帯状支持部材（４）の屈曲を妨げようとする帯状弾性部材（５）を有することを特徴とする、請求項１記載の身体腰部位吊下物の支持材。
【請求項３】
吊下輪部材（１）に設けられた係脱具Ａ（２）Ｂ（３）により、ベルト（６）に対して着脱可能であることを特徴とする、請求項１記載の身体腰部位吊下物の支持材。
【発明の詳細な説明】
【技術分野】
【０００１】本発明は、ズボン又はスカート等のベルトループに通されたベルトに装着することで、任意の身体腰部位吊下物がベルトループを越えて移動することを可能にする身体腰部位吊下物の支持材に関するものである。
【背景技術】
【０００２】ウエストポーチ、携帯電話ケース、タバコケース等、ベルトクリップ等の吊下部を有し、ズボン又はスカート等のベルトを該吊下部に通して使用する身体腰部位吊下物が多種多様に存在する。
【発明の開示】
【発明が解決しようとする課題】
【０００３】従来、身体腰部位吊下物の吊下部をズボン又はスカート等のベルトループに通されたベルトに装着すると、吊下物が移動できる範囲は装着された場所の前後のベルトループ間のみに限られるので、吊下物を身体前方から身体後方、または後方から前方へ移動することができなかった。【０００４】本発明は、ズボン又はスカート等のベルトループに通されたベルトに装着することで、任意の身体腰部位吊下物がベルトループを越えて移動することを可能にする身体腰部位吊下物の支持材を提供することを目的とする。
【課題を解決するための手段】
【０００５】上述の目的を達成するために、本発明に係わる身体腰部位吊下物の支持材は、任意の身体腰部位吊下物の吊下部を通して支持するための帯状支持部材の両端に、任意のベルトを通すための吊下輪部材を設けたものである。【０００６】上記の帯状支持部材の内部または側部には、上記帯状支持部材の屈曲を妨げようとする帯状弾性部材を有する。【０００７】上記の帯状支持部材両端の吊下輪部材に係脱具を設け、ベルトに対して着脱可能にする。
【発明の効果】
【０００８】上記帯状支持部材がベルトループの外側をまたぐようにその両端の吊下輪部材にベルトを通すことで、上記帯状支持部材に吊下げられた吊下物がベルトループを越えて移動することが可能になる。【０００９】上記帯状支持部材の屈曲を妨げようとする帯状弾性部材を上記帯状支持部材の内部または側部に有することで、吊下物の自重や移動等によって生じる上記帯状支持部材の外側への屈曲を抑え力が働き、吊下物が身体から遠ざかることを防ぐ。【００１０】上記吊下輪部材に係脱具を設け、ベルトに対し着脱可能とすることで、ズボン又はスカート等からベルトを外すことなく本身体腰部位吊下物の支持材の装着が可能になる。
【発明を実施するための最良の形態】
【００１１】以下に本発明の実施形態を図面に基づき説明する。本発明は図１、２に示すように帯状弾性部材（５）を内部または側部に有する帯状支持部材（４）と、その両端に設けられた吊下輪部材（１）、また吊下輪部材（１）がベルト（６）に対し着脱可能にするための係脱具Ａ（２）Ｂ（３）によって構成される。帯状支持部材（４）、吊下輪部材（１）は共に低摩擦素材で、衣服、ベルト（６）、吊下物（７）の吊下部に対してそれぞれ良好な滑り性能を有する。【００１２】図３に示すのは、身体（右半身）を上方から見た腰部位ベルト廻りの概念図である。帯状支持部材（４）がベルトループｂ（９）の外側をまたぐように両端の吊下輪部材（１）にベルト（６）を通すことで、帯状支持部材（４）に吊下げられた吊下物（７）がベルトループｂ（９）を越えて身体前方から後方、また後方から前方へ移動する。【００１３】帯状支持部材（４）の内部または側部には帯状支持部材（４）の屈曲を妨げようとする帯状弾性部材（５）を有しているので、帯状支持部材（４）は常に直線状態になろうとする。しかしその身体側には身体腰部位に沿って屈曲しているベルト（６）があり、帯状支持部材（４）の両端の吊下輪部材（１）に通っているので完全に直線状態になることはできず、常に帯状支持部材（４）がベルト（６）に密着しようとする力が働く。この帯状支持部材（４）のベルト（６）に密着しようとする力は、吊下物（７）の自重による帯状支持部材（４）の外側へのたわみは抑えるが、吊下物（７）の移動は阻止しないものである。【００１４】吊下輪部材（１）に係脱具Ａ（２）Ｂ（３）を設けることで、ベルト（６）をズボン又はスカート等のベルトループに通して装着した状態のまま、本身体腰部位吊下物の支持材を装着することが可能となる。
【図面の簡単な説明】
【００１５】
【図１】外観図
【００１６】
【図２】断面図
【００１７】
【図３】身体（右半身）を上方から見た腰部位ベルト廻りの概念図
【図１】
2006110269.tif 000003
【図２】
2006110269.tif 000004
【図３】
2006110269.tif 000005